(57)【要約】  本願実施例は情報測定方法、端末装置、及びネットワーク装置を提供し、ネットワーク装置は端末装置から報告された状態情報を受信した後、端末装置に対してＲＲＭ測定の設定を行い、これにより、ネットワーク装置はＲＲＭ測定の設定を行う時に、端末装置から報告された状態情報を参照することができ、それによって、端末装置の必要でない測定が回避され、端末装置の消費電力が低減される。該方法は、ネットワーク装置が端末装置から送信された第１情報を受信し、前記第１情報は前記端末装置の状態情報を含むことと、前記第１情報を受信した後、前記ネットワーク装置が前記端末装置に対してＲＲＭ測定の設定を行うことと、を含む。
2021527978.tif 000002
【特許請求の範囲】
【請求項１】
情報測定方法であって、
ネットワーク装置が端末装置から送信された第１情報を受信し、前記第１情報は前記端末装置の状態情報を含むことと、
前記第１情報を受信した後、前記ネットワーク装置が前記端末装置に対して無線リソース管理（ＲＲＭ）測定の設定を行うことと、を含むことを特徴とする情報測定方法。
【請求項２】
前記ネットワーク装置が前記端末装置に対してＲＲＭ測定の設定を行うことは、
前記ネットワーク装置が前記第１情報に基づいて前記端末装置に対してＲＲＭ測定の設定を行うことを含むことを特徴とする請求項１に記載の方法。
【請求項３】
前記ＲＲＭ測定の設定は、測定周期、測定の時間周波数リソース、及び測定報告周期のうちの少なくとも１つを含むことを特徴とする請求項１又は２に記載の方法。
【請求項４】
前記端末装置の状態情報は、前記端末装置の現在の移動状態情報又は前記端末装置の留まるセルのチャネル品質情報を含むことを特徴とする請求項１〜３のいずれか１項に記載の方法。
【請求項５】
前記ネットワーク装置が前記端末装置に対してＲＲＭ測定の設定を行うことは、
前記第１情報に前記端末装置の現在の移動状態情報が含まれる場合、前記ネットワーク装置が前記第１情報及び第１ルールに基づいて前記端末装置に対してＲＲＭ測定の設定を行うことを含み、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項４に記載の方法。
【請求項６】
前記ネットワーク装置が前記第１情報に基づいて前記端末装置に対してＲＲＭ測定の設定を行うことは、
前記第１情報に前記端末装置の留まるセルのチャネル品質情報が含まれる場合、前記ネットワーク装置が前記第１情報及び第２ルールに基づいて前記端末装置に対してＲＲＭ測定の設定を行うことを含み、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項４に記載の方法。
【請求項７】
前記測定周期は同期信号ブロックウィンドウ（ＳＭＴＣ）周期であることを特徴とする請求項５又は６に記載の方法。
【請求項８】
前記第１情報に前記端末装置の留まるセルのチャネル品質情報が含まれる場合、前記ネットワーク装置が前記第１情報に基づいて前記端末装置に対してＲＲＭ測定の設定を行うことは、
前記ネットワーク装置がチャネル品質情報に基づいて、異なるチャネル品質情報を有するセルを複数のセルグループに分け、各セルグループにおけるセルは同じチャネル品質情報又は近いチャネル品質情報を有することと、
前記ネットワーク装置が各セルグループに１つのＲＲＭ測定設定情報を設定することと、
前記ネットワーク装置が前記端末装置の留まるセルのチャネル品質情報に基づいて、前記端末装置に対応するＲＲＭ測定設定情報を決定することと、を含むことを特徴とする請求項４に記載の方法。
【請求項９】
前記端末装置の現在の移動状態情報は、前記端末装置が測位ナビゲーションシステム及び／又はネットワーク信号に対する測定感知に基づいて取得したものであることを特徴とする請求項４〜８のいずれか１項に記載の方法。
【請求項１０】
前記端末装置の留まるセルのチャネル品質情報は参照信号受信品質（ＲＳＲＱ）、干渉雑音比（ＳＩＮＲ）、参照信号受信電力（ＲＳＲＰ）のうちの少なくとも１つであることを特徴とする請求項４〜９のいずれか１項に記載の方法。
【請求項１１】
情報測定方法であって、
端末装置がネットワーク装置に第１情報を送信し、前記第１情報は前記端末装置の状態情報を含むことと、
前記第１情報を送信した後、前記端末装置が前記ネットワーク装置から送信された無線リソース管理（ＲＲＭ）測定設定情報を受信し、そして前記ＲＲＭ測定設定情報に基づいてＲＲＭ測定を行うことと、を含むことを特徴とする情報測定方法。
【請求項１２】
前記ＲＲＭ測定設定情報は前記第１情報と関連することを特徴とする請求項１１に記載の方法。
【請求項１３】
前記ＲＲＭ測定設定情報は、測定周期、測定の時間周波数リソース、及び測定報告周期のうちの少なくとも１つを含むことを特徴とする請求項１１又は１２に記載の方法。
【請求項１４】
前記端末装置の状態情報は、前記端末装置の現在の移動状態情報又は前記端末装置の留まるセルのチャネル品質情報を含むことを特徴とする請求項１１〜１３のいずれか１項に記載の方法。
【請求項１５】
前記第１情報に前記端末装置の現在の移動状態情報が含まれる場合、前記ＲＲＭ測定設定情報は前記ネットワーク装置が前記第１情報及び第１ルールに基づいて前記端末装置に対してＲＲＭ測定の設定を行う設定情報であり、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項１４に記載の方法。
【請求項１６】
前記端末装置が前記ネットワーク装置に前記第１情報を送信する前に、前記方法は更に、
前記端末装置が測位ナビゲーションシステム及び／又はネットワーク信号に対する測定感知に基づいて、前記端末装置の現在の移動状態情報を決定することを含むことを特徴とする請求項１５に記載の方法。
【請求項１７】
前記第１情報に前記端末装置の留まるセルのチャネル品質情報が含まれる場合、前記ＲＲＭ測定設定情報は前記ネットワーク装置が前記第１情報及び第２ルールに基づいて前記端末装置に対してＲＲＭ測定の設定を行う設定情報であり、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項１４に記載の方法。
【請求項１８】
前記測定周期は同期信号ブロックウィンドウ（ＳＭＴＣ）周期であることを特徴とする請求項１５〜１７のいずれか１項に記載の方法。
【請求項１９】
前記端末装置の留まるセルのチャネル品質情報は参照信号受信品質（ＲＳＲＱ）、干渉雑音比（ＳＩＮＲ）、参照信号受信電力（ＲＳＲＰ）のうちの少なくとも１つであることを特徴とする請求項１４〜１８のいずれか１項に記載の方法。
【請求項２０】
情報測定方法であって、
ネットワーク装置が端末装置に第１情報を送信し、前記第１情報は第１対応関係又は第２対応関係を含み、前記第１情報は前記第１対応関係又は前記第２対応関係に基づいて無線リソース管理（ＲＲＭ）測定設定情報を決定するように前記端末装置に指示することに用いられることを含み、
前記第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示することを特徴とする情報測定方法。
【請求項２１】
前記ＲＲＭ測定設定情報は、測定周期、測定の時間周波数リソース、及び測定報告周期のうちの少なくとも１つを含むことを特徴とする請求項２０に記載の方法。
【請求項２２】
前記ネットワーク装置が前記端末装置に前記第１情報を送信する前に、前記方法は更に、
前記第１情報に前記第１対応関係が含まれる場合、前記ネットワーク装置が第１ルールに基づいて前記第１対応関係を決定することを含み、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項２０又は２１に記載の方法。
【請求項２３】
前記ネットワーク装置が前記端末装置に前記第１情報を送信する前に、前記方法は更に、
前記第１情報に前記第２対応関係が含まれる場合、前記ネットワーク装置が第２ルールに基づいて前記第２対応関係を決定することを含み、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項２０又は２１に記載の方法。
【請求項２４】
前記測定周期は同期信号ブロックウィンドウ（ＳＭＴＣ）周期であることを特徴とする請求項２２又は２３に記載の方法。
【請求項２５】
前記ネットワーク装置が前記端末装置に前記第１情報を送信することは、
前記ネットワーク装置がシステムブロードキャストを介して前記端末装置に前記第１情報を送信することを含むことを特徴とする請求項２０〜２４のいずれか１項に記載の方法。
【請求項２６】
前記第１情報は残りのシステム情報（ＲＭＳＩ）又は他のシステム情報（ＯＳＩ）であることを特徴とする請求項２０〜２５のいずれか１項に記載の方法。
【請求項２７】
前記端末装置は無線リソース制御（ＲＲＣ）アイドル状態又はＲＲＣ接続状態にあることを特徴とする請求項２０〜２６のいずれか１項に記載の方法。
【請求項２８】
情報測定方法であって、
端末装置がネットワーク装置から送信された第１情報を受信し、前記第１情報は第１対応関係又は第２対応関係を含み、前記第１情報は、前記第１対応関係又は前記第２対応関係に基づいて無線リソース管理（ＲＲＭ）測定設定情報を決定するように前記端末装置に指示することに用いられ、前記第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示することと、
前記端末装置が前記第１情報に基づいてＲＲＭ測定設定情報を決定することと、を含むことを特徴とする情報測定方法。
【請求項２９】
前記端末装置が前記第１情報に基づいてＲＲＭ測定設定情報を決定することは、
前記第１情報に前記第１対応関係が含まれる場合、前記端末装置が現在の移動状態情報及び前記第１対応関係に基づいて前記ＲＲＭ測定設定情報を決定することを含むことを特徴とする請求項２８に記載の方法。
【請求項３０】
前記端末装置が前記第１情報に基づいてＲＲＭ測定設定情報を決定することは、
前記第１情報に前記第２対応関係が含まれる場合、前記端末装置は留まるセルのチャネル品質情報及び前記第２対応関係に基づいて前記ＲＲＭ測定設定情報を決定することを含むことを特徴とする請求項２８に記載の方法。
【請求項３１】
前記ＲＲＭ測定設定情報は、測定周期、測定の時間周波数リソース、及び測定報告周期のうちの少なくとも１つを含むことを特徴とする請求項２８〜３０のいずれか１項に記載の方法。
【請求項３２】
前記第１対応関係は前記ネットワーク装置が第１ルールに基づいて決定したものであり、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項２８〜３１のいずれか１項に記載の方法。
【請求項３３】
前記第２対応関係は前記ネットワーク装置が第２ルールに基づいて決定したものであり、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項２８〜３１のいずれか１項に記載の方法。
【請求項３４】
前記測定周期は同期信号ブロックウィンドウ（ＳＭＴＣ）周期であることを特徴とする請求項３２又は３３に記載の方法。
【請求項３５】
前記端末装置がネットワーク装置から送信された第１情報を受信することは、
前記端末装置が前記ネットワーク装置がシステムブロードキャストを介して送信した前記第１情報を受信することを含むことを特徴とする請求項２８〜３４のいずれか１項に記載の方法。
【請求項３６】
前記第１情報は残りのシステム情報（ＲＭＳＩ）又は他のシステム情報（ＯＳＩ）であることを特徴とする請求項２８〜３５のいずれか１項に記載の方法。
【請求項３７】
前記端末装置は無線リソース制御（ＲＲＣ）アイドル状態又はＲＲＣ接続状態にあることを特徴とする請求項２８〜３６のいずれか１項に記載の方法。
【請求項３８】
ネットワーク装置であって、
端末装置から送信された第１情報を受信することに用いられ、前記第１情報は前記端末装置の状態情報を含む通信ユニットと、
前記通信ユニットが前記第１情報を受信した後、前記端末装置に対して無線リソース管理（ＲＲＭ）測定の設定を行うことに用いられる処理ユニットと、を備えることを特徴とするネットワーク装置。
【請求項３９】
前記処理ユニットは具体的に、前記第１情報に基づいて前記端末装置に対してＲＲＭ測定の設定を行うことに用いられることを特徴とする請求項３８に記載のネットワーク装置。
【請求項４０】
前記ＲＲＭ測定の設定は、測定周期、測定の時間周波数リソース、及び測定報告周期のうちの少なくとも１つを含むことを特徴とする請求項３８又は３９に記載のネットワーク装置。
【請求項４１】
前記端末装置の状態情報は、前記端末装置の現在の移動状態情報又は前記端末装置の留まるセルのチャネル品質情報を含むことを特徴とする請求項３８〜４０のいずれか１項に記載のネットワーク装置。
【請求項４２】
前記処理ユニットは具体的に、前記第１情報に前記端末装置の現在の移動状態情報が含まれる場合、前記第１情報及び第１ルールに基づいて前記端末装置に対してＲＲＭ測定の設定を行うことに用いられ、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項４１に記載のネットワーク装置。
【請求項４３】
前記処理ユニットは具体的に、前記第１情報に前記端末装置の留まるセルのチャネル品質情報が含まれる場合、前記第１情報及び第２ルールに基づいて前記端末装置に対してＲＲＭ測定の設定を行うことに用いられ、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項４１に記載のネットワーク装置。
【請求項４４】
前記測定周期は同期信号ブロックウィンドウ（ＳＭＴＣ）周期であることを特徴とする請求項４２又は４３に記載のネットワーク装置。
【請求項４５】
前記第１情報に前記端末装置の留まるセルのチャネル品質情報が含まれる場合、前記処理ユニットは具体的に、
チャネル品質情報に基づいて、異なるチャネル品質情報を有するセルを複数のセルグループに分け、各セルグループにおけるセルは同じチャネル品質情報又は近いチャネル品質情報を有することと、
各セルグループに１つのＲＲＭ測定設定情報を設定することと、
前記端末装置の留まるセルのチャネル品質情報に基づいて、前記端末装置に対応するＲＲＭ測定設定情報を決定することと、に用いられることを特徴とする請求項４１に記載のネットワーク装置。
【請求項４６】
前記端末装置の現在の移動状態情報は、前記端末装置が測位ナビゲーションシステム及び／又はネットワーク信号に対する測定感知に基づいて取得したものであることを特徴とする請求項４１〜４５のいずれか１項に記載のネットワーク装置。
【請求項４７】
前記端末装置の留まるセルのチャネル品質情報は参照信号受信品質（ＲＳＲＱ）、干渉雑音比（ＳＩＮＲ）、参照信号受信電力（ＲＳＲＰ）のうちの少なくとも１つであることを特徴とする請求項４１〜４６のいずれか１項に記載のネットワーク装置。
【請求項４８】
端末装置であって、
前記端末装置の状態情報を含む第１情報をネットワーク装置に送信することに用いられ、前記第１情報を送信した後、更に前記ネットワーク装置から送信された無線リソース管理（ＲＲＭ）測定設定情報を受信することに用いられる通信ユニットと、
前記ＲＲＭ測定設定情報に基づいてＲＲＭ測定を行うことに用いられる処理ユニットと、を備えることを特徴とする端末装置。
【請求項４９】
前記ＲＲＭ測定設定情報は前記第１情報と関連することを特徴とする請求項４８に記載の端末装置。
【請求項５０】
前記ＲＲＭ測定設定情報は、測定周期、測定の時間周波数リソース、及び測定報告周期のうちの少なくとも１つを含むことを特徴とする請求項４８又は４９に記載の端末装置。
【請求項５１】
前記端末装置の状態情報は、前記端末装置の現在の移動状態情報又は前記端末装置の留まるセルのチャネル品質情報を含むことを特徴とする請求項４８〜５０のいずれか１項に記載の端末装置。
【請求項５２】
前記第１情報に前記端末装置の現在の移動状態情報が含まれる場合、前記ＲＲＭ測定設定情報は前記ネットワーク装置が前記第１情報及び第１ルールに基づいて前記端末装置に対してＲＲＭ測定の設定を行う設定情報であり、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項５１に記載の端末装置。
【請求項５３】
前記通信ユニットが前記ネットワーク装置に前記第１情報を送信する前に、前記処理ユニットは更に、測位ナビゲーションシステム及び／又はネットワーク信号に対する測定感知に基づいて、前記端末装置の現在の移動状態情報を決定することに用いられることを特徴とする請求項５２に記載の端末装置。
【請求項５４】
前記第１情報に前記端末装置の留まるセルのチャネル品質情報が含まれる場合、前記ＲＲＭ測定設定情報は前記ネットワーク装置が前記第１情報及び第２ルールに基づいて前記端末装置に対してＲＲＭ測定の設定を行う設定情報であり、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項５１に記載の端末装置。
【請求項５５】
前記測定周期は同期信号ブロックウィンドウ（ＳＭＴＣ）周期であることを特徴とする請求項５２〜５４のいずれか１項に記載の端末装置。
【請求項５６】
前記端末装置の留まるセルのチャネル品質情報は参照信号受信品質（ＲＳＲＱ）、干渉雑音比（ＳＩＮＲ）、参照信号受信電力（ＲＳＲＰ）のうちの少なくとも１つであることを特徴とする請求項５１〜５５のいずれか１項に記載の端末装置。
【請求項５７】
ネットワーク装置であって、
端末装置に第１情報を送信することに用いられ、前記第１情報は第１対応関係又は第２対応関係を含み、前記第１情報は前記第１対応関係又は前記第２対応関係に基づいて無線リソース管理（ＲＲＭ）測定設定情報を決定するように前記端末装置に指示することに用いられる通信ユニットを備え、
前記第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示することを特徴とするネットワーク装置。
【請求項５８】
前記ＲＲＭ測定設定情報は、測定周期、測定の時間周波数リソース、及び測定報告周期のうちの少なくとも１つを含むことを特徴とする請求項５７に記載のネットワーク装置。
【請求項５９】
前記通信ユニットが前記端末装置に前記第１情報を送信する前に、前記ネットワーク装置は更に、
前記第１情報に前記第１対応関係が含まれる場合、第１ルールに基づいて前記第１対応関係を決定することに用いられる処理ユニットを備え、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項５７又は５８に記載のネットワーク装置。
【請求項６０】
前記通信ユニットが前記端末装置に前記第１情報を送信する前に、前記ネットワーク装置は更に、
前記第１情報に前記第２対応関係が含まれる場合、第２ルールに基づいて前記第２対応関係を決定することに用いられる処理ユニットを備え、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項５７又は５８に記載のネットワーク装置。
【請求項６１】
前記測定周期は同期信号ブロックウィンドウ（ＳＭＴＣ）周期であることを特徴とする請求項５９又は６０に記載のネットワーク装置。
【請求項６２】
前記通信ユニットは具体的に、システムブロードキャストを介して前記端末装置に前記第１情報を送信することに用いられることを特徴とする請求項５７〜６１のいずれか１項に記載のネットワーク装置。
【請求項６３】
前記第１情報は残りのシステム情報（ＲＭＳＩ）又は他のシステム情報（ＯＳＩ）であることを特徴とする請求項５７〜６２のいずれか１項に記載のネットワーク装置。
【請求項６４】
前記端末装置は無線リソース制御（ＲＲＣ）アイドル状態又はＲＲＣ接続状態にあることを特徴とする請求項５７〜６３のいずれか１項に記載のネットワーク装置。
【請求項６５】
端末装置であって、
ネットワーク装置から送信された第１情報を受信することに用いられ、前記第１情報は第１対応関係又は第２対応関係を含み、前記第１情報は前記第１対応関係又は前記第２対応関係に基づいて無線リソース管理（ＲＲＭ）測定設定情報を決定するように前記端末装置に指示することに用いられ、前記第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示する通信ユニットと、
前記第１情報に基づいてＲＲＭ測定設定情報を決定することに用いられる処理ユニットと、を備えることを特徴とする端末装置。
【請求項６６】
前記処理ユニットは具体的に、前記第１情報に前記第１対応関係が含まれる場合、現在の移動状態情報及び前記第１対応関係に基づいて前記ＲＲＭ測定設定情報を決定することに用いられることを特徴とする請求項６５に記載の端末装置。
【請求項６７】
前記処理ユニットは具体的に、前記第１情報に前記第２対応関係が含まれる場合、留まるセルのチャネル品質情報及び前記第２対応関係に基づいて前記ＲＲＭ測定設定情報を決定することに用いられることを特徴とする請求項６５に記載の端末装置。
【請求項６８】
前記ＲＲＭ測定設定情報は、測定周期、測定の時間周波数リソース、及び測定報告周期のうちの少なくとも１つを含むことを特徴とする請求項６５〜６７のいずれか１項に記載の端末装置。
【請求項６９】
前記第１対応関係は前記ネットワーク装置が第１ルールに基づいて決定したものであり、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項６５〜６８のいずれか１項に記載の端末装置。
【請求項７０】
前記第２対応関係は前記ネットワーク装置が第２ルールに基づいて決定したものであり、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項６５〜６８のいずれか１項に記載の端末装置。
【請求項７１】
前記測定周期は同期信号ブロックウィンドウ（ＳＭＴＣ）周期であることを特徴とする請求項６９又は７０に記載の端末装置。
【請求項７２】
前記通信ユニットは具体的に、前記ネットワーク装置がシステムブロードキャストを介して送信した前記第１情報を受信することに用いられることを特徴とする請求項６５〜７１のいずれか１項に記載の端末装置。
【請求項７３】
前記第１情報は残りのシステム情報（ＲＭＳＩ）又は他のシステム情報（ＯＳＩ）であることを特徴とする請求項６６〜７２のいずれか１項に記載の端末装置。
【請求項７４】
前記端末装置は無線リソース制御（ＲＲＣ）アイドル状態又はＲＲＣ接続状態にあることを特徴とする請求項６６〜７３のいずれか１項に記載の端末装置。
【請求項７５】
ネットワーク装置であって、プロセッサ及びメモリを備え、該メモリはコンピュータプログラムを記憶することに用いられ、前記プロセッサは前記メモリに記憶されるコンピュータプログラムを呼び出して実行し、請求項１〜１０のいずれか１項に記載の方法を実行することに用いられることを特徴とするネットワーク装置。
【請求項７６】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項１１〜１９のいずれか１項に記載の方法を実行することに用いられることを特徴とする端末装置。
【請求項７７】
ネットワーク装置であって、プロセッサ及びメモリを備え、該メモリはコンピュータプログラムを記憶することに用いられ、前記プロセッサは前記メモリに記憶されるコンピュータプログラムを呼び出して実行し、請求項２０〜２７のいずれか１項に記載の方法を実行することに用いられることを特徴とするネットワーク装置。
【請求項７８】
端末装置であって、プロセッサ及びメモリを備え、該メモリはコンピュータプログラムを記憶することに用いられ、前記プロセッサは前記メモリに記憶されるコンピュータプログラムを呼び出して実行し、請求項２８〜３７のいずれか１項に記載の方法を実行することに用いられることを特徴とする端末装置。
【請求項７９】
チップであって、メモリからコンピュータプログラムを呼び出して実行し、前記チップを搭載する装置に請求項１〜１０のいずれか１項に記載の方法を実行させることに用いられるプロセッサを備えることを特徴とするチップ。
【請求項８０】
チップであって、メモリからコンピュータプログラムを呼び出して実行し、前記チップを搭載する装置に請求項１１〜１９のいずれか１項に記載の方法を実行させることに用いられるプロセッサを備えることを特徴とするチップ。
【請求項８１】
チップであって、メモリからコンピュータプログラムを呼び出して実行し、前記チップを搭載する装置に請求項２０〜２７のいずれか１項に記載の方法を実行させることに用いられるプロセッサを備えることを特徴とするチップ。
【請求項８２】
チップであって、メモリからコンピュータプログラムを呼び出して実行し、前記チップを搭載する装置に請求項２８〜３７のいずれか１項に記載の方法を実行させることに用いられるプロセッサを備えることを特徴とするチップ。
【請求項８３】
コンピュータプログラムを記憶することに用いられ、前記コンピュータプログラムはコンピュータに請求項１〜１０のいずれか１項に記載の方法を実行させることを特徴とするコンピュータ可読記憶媒体。
【請求項８４】
コンピュータプログラムを記憶することに用いられ、前記コンピュータプログラムはコンピュータに請求項１１〜１９のいずれか１項に記載の方法を実行させることを特徴とするコンピュータ可読記憶媒体。
【請求項８５】
コンピュータプログラムを記憶することに用いられ、前記コンピュータプログラムはコンピュータに請求項２０〜２７のいずれか１項に記載の方法を実行させることを特徴とするコンピュータ可読記憶媒体。
【請求項８６】
コンピュータプログラムを記憶することに用いられ、前記コンピュータプログラムはコンピュータに請求項２８〜３７のいずれか１項に記載の方法を実行させることを特徴とするコンピュータ可読記憶媒体。
【請求項８７】
コンピュータプログラム命令を含み、該コンピュータプログラム命令はコンピュータに請求項１〜１０のいずれか１項に記載の方法を実行させることを特徴とするコンピュータプログラム製品。
【請求項８８】
コンピュータプログラム命令を含み、該コンピュータプログラム命令はコンピュータに請求項１１〜１９のいずれか１項に記載の方法を実行させることを特徴とするコンピュータプログラム製品。
【請求項８９】
コンピュータプログラム命令を含み、該コンピュータプログラム命令はコンピュータに請求項２０〜２７のいずれか１項に記載の方法を実行させることを特徴とするコンピュータプログラム製品。
【請求項９０】
コンピュータプログラム命令を含み、該コンピュータプログラム命令はコンピュータに請求項２８〜３７のいずれか１項に記載の方法を実行させることを特徴とするコンピュータプログラム製品。
【請求項９１】
コンピュータに請求項１〜１０のいずれか１項に記載の方法を実行させることを特徴とするコンピュータプログラム。
【請求項９２】
コンピュータに請求項１１〜１９のいずれか１項に記載の方法を実行させることを特徴とするコンピュータプログラム。
【請求項９３】
コンピュータに請求項２０〜２７のいずれか１項に記載の方法を実行させることを特徴とするコンピュータプログラム。
【請求項９４】
コンピュータに請求項２８〜３７のいずれか１項に記載の方法を実行させることを特徴とするコンピュータプログラム。
【発明の詳細な説明】
【関連出願の相互参照】
【０００１】
本願は、２０１８年６月２２日に中国特許局に提出され、出願番号がＰＣＴ／ＣＮ２０１８／０９２４９８、発明の名称が「情報測定方法、端末装置、及びネットワーク装置」のＰＣＴ特許出願の優先権を主張し、その全部の内容は引用によって本願に組み込まれる。
【技術分野】
【０００２】
本願実施例は通信分野に関し、より具体的に、情報測定方法、端末装置、及びネットワーク装置に関する。
【背景技術】
【０００３】
端末装置は無線リソース制御（ＲＲＣ、Ｒａｄｉｏ  Ｒｅｓｏｕｒｃｅ  Ｃｏｎｔｒｏｌ）接続状態（ｃｏｎｎｅｃｔｅｄ  ｓｔａｔｅ）においては、モビリティ操作、例えば切り替え等をサポートするために、ネットワークの設定に基づいてサービングセル及び他のセルに対して無線リソース管理（ＲＲＭ、Ｒａｄｉｏ  Ｒｅｓｏｕｒｃｅ  Ｍａｎａｇｅｍｅｎｔ）の測定を継続的に行う必要がある。
【０００４】
しかしながら、ネットワーク装置は端末装置の状態情報を十分に考慮せずに自体のポリシーに基づいて端末に対してＲＲＭ測定の設定を行うため、一部の端末装置は継続的に測定を行うが、これらの測定は必要でない可能性がある。例えば、端末装置はしばらくの間は静止状態にあり、この場合は、サービングセルを含める測定対象のターゲットセルの端末装置に対する位置関係には変化がなく、従って、端末装置の継続的な測定の結果にも変化がなく、そうすると、これらの測定はあまり意味がなく、かえって端末の消費電力が浪費される。
【発明の概要】
【発明が解決しようとする課題】
【０００５】
本願実施例は情報測定方法、端末装置、及びネットワーク装置を提供し、ネットワーク装置は端末装置から報告された状態情報を受信した後、端末装置に対してＲＲＭ測定の設定を行い、これにより、ネットワーク装置はＲＲＭ測定の設定を行う時に、端末装置から報告された状態情報を参照して、端末装置の必要でない測定を回避し、端末装置の消費電力を低減することができる。
【課題を解決するための手段】
【０００６】
第１態様では情報測定方法を提供し、該方法は、
ネットワーク装置が端末装置から送信された第１情報を受信し、該第１情報は該端末装置の状態情報を含むことと、
該第１情報を受信した後、該ネットワーク装置が該端末装置に対してＲＲＭ測定の設定を行うことと、を含む。
【０００７】
第２態様では情報測定方法を提供し、該方法は、
端末装置がネットワーク装置に第１情報を送信し、該第１情報は該端末装置の状態情報を含むことと、
該第１情報を送信した後、該端末装置が該ネットワーク装置から送信されたＲＲＭ測定設定情報を受信し、そして該ＲＲＭ測定設定情報に基づいてＲＲＭ測定を行うことと、を含む。
【０００８】
第３態様では情報測定方法を提供し、該方法は、
ネットワーク装置が端末装置に第１情報を送信し、該第１情報は第１対応関係又は第２対応関係を含み、該第１情報は該第１対応関係又は第２対応関係に基づいてＲＲＭ測定設定情報を決定するように該端末装置に指示することに用いられ、該第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示することを含む。
【０００９】
第４態様では情報測定方法を提供し、該方法は、
端末装置がネットワーク装置から送信された第１情報を受信し、該第１情報は第１対応関係又は第２対応関係を含み、該第１情報は該第１対応関係又は該第２対応関係に基づいてＲＲＭ測定設定情報を決定するように該端末装置に指示することに用いられ、該第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示することと、
該端末装置が該第１情報に基づいてＲＲＭ測定設定情報を決定することと、を含む。
【００１０】
第５態様ではネットワーク装置を提供し、上記第１態様又はその各実現方式における方法を実行することに用いられる。
【００１１】
具体的に、該ネットワーク装置は上記第１態様又はその各実現方式における方法を実行するための機能モジュールを備える。
【００１２】
第６態様では端末装置を提供し、上記第２態様又はその各実現方式における方法を実行することに用いられる。
【００１３】
具体的に、該端末装置は上記第２態様又はその各実現方式における方法を実行するための機能モジュールを備える。
【００１４】
第７態様ではネットワーク装置を提供し、上記第３態様又はその各実現方式における方法を実行することに用いられる。
【００１５】
具体的に、該ネットワーク装置は上記第３態様又はその各実現方式における方法を実行するための機能モジュールを備える。
【００１６】
第８態様では端末装置を提供し、上記第４態様又はその各実現方式における方法を実行することに用いられる。
【００１７】
具体的に、該端末装置は上記第４態様又はその各実現方式における方法を実行するための機能モジュールを備える。
【００１８】
第９態様ではネットワーク装置を提供し、プロセッサ及びメモリを備える。該メモリはコンピュータプログラムを記憶することに用いられ、該プロセッサは該メモリに記憶されるコンピュータプログラムを呼び出して実行し、上記第１態様又はその各実現方式における方法を実行することに用いられる。
【００１９】
第１０態様では端末装置を提供し、プロセッサ及びメモリを備える。該メモリはコンピュータプログラムを記憶することに用いられ、該プロセッサは該メモリに記憶されるコンピュータプログラムを呼び出して実行し、上記第２態様又はその各実現方式における方法を実行することに用いられる。
【００２０】
第１１態様ではネットワーク装置を提供し、プロセッサ及びメモリを備える。該メモリはコンピュータプログラムを記憶することに用いられ、該プロセッサは該メモリに記憶されるコンピュータプログラムを呼び出して実行し、上記第３態様又はその各実現方式における方法を実行することに用いられる。
【００２１】
第１２態様では端末装置を提供し、プロセッサ及びメモリを備える。該メモリはコンピュータプログラムを記憶することに用いられ、該プロセッサは該メモリに記憶されるコンピュータプログラムを呼び出して実行し、上記第４態様又はその各実現方式における方法を実行することに用いられる。
【００２２】
第１３態様ではチップを提供し、上記第１態様〜第４態様のいずれか１つ又はその各実現方式における方法を実現することに用いられる。
【００２３】
具体的に、該チップは、メモリからコンピュータプログラムを呼び出して実行して、該チップを搭載する装置に上記第１態様〜第４態様のいずれか１つ又はその各実現方式における方法を実行させることに用いられるプロセッサを備える。
【００２４】
第１４態様ではコンピュータ可読記憶媒体を提供し、コンピュータプログラムを記憶することに用いられ、該コンピュータプログラムはコンピュータに上記第１態様〜第４態様のいずれか１つ又はその各実現方式における方法を実行させる。
【００２５】
第１５態様ではコンピュータプログラム製品を提供し、コンピュータプログラム命令を含み、該コンピュータプログラム命令はコンピュータに上記第１態様〜第４態様のいずれか１つ又はその各実現方式における方法を実行させる。
【００２６】
第１６態様ではコンピュータプログラムを提供し、それがコンピュータにおいて実行される時、コンピュータは上記第１態様〜第４態様のいずれか１つ又はその各実現方式における方法を実行する。
【００２７】
上記の技術案によれば、ネットワーク装置は端末装置から報告された状態情報を受信した後、端末装置に対してＲＲＭ測定の設定を行い、これにより、ネットワーク装置はＲＲＭ測定の設定を行う時に、端末装置から報告された状態情報を参照して、端末装置の必要でない測定を回避し、端末装置の消費電力を低減することができる。
【図面の簡単な説明】
【００２８】
【図１】図１は本願実施例による通信システムアーキテクチャの模式図である。
【図２】図２は本願実施例による情報測定方法の模式的なフローチャートである。
【図３】図３は本願実施例による他の情報測定方法の模式的なフローチャートである。
【図４】図４は本願実施例による更なる情報測定方法の模式的なフローチャートである。
【図５】図５は本願実施例による更なる情報測定方法の模式的なフローチャートである。
【図６】図６は本願実施例によるネットワーク装置の模式的なブロック図である。
【図７】図７は本願実施例による端末装置の模式的なブロック図である。
【図８】図８は本願実施例によるネットワーク装置の模式的なブロック図である。
【図９】図９は本願実施例による端末装置の模式的なブロック図である。
【図１０】図１０は本願実施例による通信装置の模式的なブロック図である。
【図１１】図１１は本願実施例によるチップの模式的なブロック図である。
【図１２】図１２は本願実施例による通信システムの模式的なブロックである。
【発明を実施するための形態】
【００２９】
以下は、本願実施例の図面を参照しながら、本願実施例における技術案を説明する。明らかに、説明される実施例は本願の一部の実施例であり、全部の実施例ではない。本願における実施例に基づいて、当業者が創造的な労力を要することなく獲得した全ての他の実施例は、いずれも本願の保護する範囲に属する。
【００３０】
本願実施例の技術案は各種の通信システム、例えば、グローバル移動体通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサル移動体通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスの世界的相互運用性（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム、又は後続バージョンの通信システムに適用できる。
【００３１】
例示として、本願実施例に適用される通信システム１００は図１に示される。該通信システム１００はネットワーク装置１１０を備えてもよく、ネットワーク装置１１０は端末装置１２０（又は通信端末、端末と称される）と通信する装置であってもよい。ネットワーク装置１１０は特定の地理的区域に通信カバレッジを提供でき、そして該カバレッジ区域内に位置する端末装置と通信できる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける進化型基地局（ｅＮＢ又はｅＮｏｄｅＢ、Ｅｖｏｌｕｔｉｏｎａｌ  ＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラである。又は、該ネットワーク装置はモバイルスイッチングセンター、中継局、アクセスポイント、車載装置、ウェアラブルデバイス、ハブ、交換機、ブリッジ、ルーター、５Ｇネットワークにおけるネットワーク側装置又は将来進化する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００３２】
該通信システム１００は更にネットワーク装置１１０のカバレッジ範囲内に位置する少なくとも１つの端末装置１２０を備える。ここで使用される「端末装置」は、有線回線を介して接続され、例えば、公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブル接続、及び／又は他のデータ接続／ネットワークを介して接続される装置、及び／又は無線インタフェース、例えば、セルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）、デジタルビデオブロードキャスト−ハンドヘルド（ＤＶＢ−Ｈ、Ｄｉｇｉｔａｌ  Ｖｉｄｅｏ  Ｂｒｏａｄｃａｓｔｉｎｇ  Ｈａｎｄｈｅｌｄ）ネットワーク等のデジタルテレビネットワーク、衛星ネットワーク、振幅変調−周波数変調（ＡＭ−ＦＭ、Ａｍｐｌｉｔｕｄｅ  Ｍｏｄｕｌａｔｉｏｎ  −  Ｆｒｅｑｕｅｎｃｙ  Ｍｏｄｕｌａｔｉｏｎ）放送送信機を介して接続される装置、及び／又は他の端末装置の、通信信号を送受信するように設定される装置、及び／又はモノのインターネット（ＩｏＴ、Ｉｎｔｅｒｎｅｔ  ｏｆ  Ｔｈｉｎｇｓ）装置を含むが、これらには限らない。無線インタフェースを介して通信するように設定される端末装置は「無線通信端末」、「無線端末」又は「モバイル端末」と称されてもよい。モバイル端末の例は衛星又はセルラー方式の電話、セルラー無線電話とデータ処理、ファックス、及びデータ通信能力を組み合わせることのできる個人通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー、北斗衛星ナビゲーションシステム（ＢＤＳ、ＢｅｉＤｏｕ  Ｎａｖｉｇａｔｉｏｎ  Ｓａｔｅｌｌｉｔｅ  Ｓｙｓｔｅｍ）、及び全地球測位システム（ＧＰＳ、Ｇｌｏｂａｌ  Ｐｏｓｉｔｉｏｎｉｎｇ  Ｓｙｓｔｅｍ）受信機を備えることのできるＰＤＡ、及び通常のラップトップタイプ及び／又はパームトップタイプの受信機、又は無線電話送受信機を備える他の電子装置を含むが、これらには限らない。端末装置とはアクセス端末、ユーザ装置（ＵＥ、Ｕｓｅｒ  Ｅｑｕｉｐｍｅｎｔ）、加入者ユニット、加入者局、移動局、トラバーサー、遠隔局、遠隔端末、モバイルデバイス、ユーザ端末、端末、無線通信装置、ユーザエージェント又はユーザデバイスを指してもよい。アクセス端末はセルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えるハンドヘルド装置、計算装置又は無線モデムに接続される他の処理装置、車載装置、ウェアラブル装置、５Ｇネットワークにおける端末装置又は将来進化するＰＬＭＮにおける端末装置等であってもよい。
【００３３】
選択肢として、端末装置１２０同士間は端末ダイレクト（Ｄ２Ｄ、Ｄｅｖｉｃｅ  ｔｏ  Ｄｅｖｉｃｅ）通信を行うことができる。
【００３４】
選択肢として、５Ｇシステム又は５Ｇネットワークは更に新無線（ＮＲ、Ｎｅｗ  Ｒａｄｉｏ）システム又はＮＲネットワークと称されてもよい。
【００３５】
図１は１つのネットワーク装置と２つの端末装置を例示しているが、選択肢として、該通信システム１００は複数のネットワーク装置を備えてもよく、そして各ネットワーク装置のカバレッジ範囲内に他の数の端末装置が含まれてもよく、本願実施例はこれについて限定しない。
【００３６】
選択肢として、該通信システム１００は更にネットワークコントローラ、移動管理エンティティ等の他のネットワークエンティティを備えてもよく、本願実施例はこれについて限定しない。
【００３７】
理解されるように、本願実施例におけるネットワーク／システムにおける通信機能を備える装置は通信装置と称されてもよい。図１に示す通信システム１００を例とすると、通信装置は通信機能を有するネットワーク装置１１０及び端末装置１２０を含んでもよく、ネットワーク装置１１０及び端末装置１２０は上記の具体的な装置であってもよく、ここでは繰り返して説明しない。通信装置は更に通信システム１００における他の装置、例えば、ネットワークコントローラ、移動管理エンティティ等の他のネットワークエンティティを含んでもよく、本願実施例はこれについて限定しない。
【００３８】
理解されるように、本明細書における用語「システム」と「ネットワーク」は本明細書においてしばしば互いに交換可能に使用される。本明細書における用語「及び／又は」は、単に関連するオブジェクトの関連関係を説明するためのものであり、３つの関係が存在し得ることを表す。例えば、「Ａ及び／又はＢ」は「Ａが単独に存在する、「ＡとＢが同時に存在する」、「Ｂが単独に存在する」の３つの状況を表すことができる。また、本明細書における「／」という文字は一般的に前後の関連オブジェクトが「又は」の関係であることを表す。
【００３９】
図２は本願実施例による情報測定方法２００の模式的なフローチャートである。
【００４０】
Ｓ２１０、ネットワーク装置は端末装置から送信された第１情報を受信し、該第１情報は該端末装置の状態情報を含む。
【００４１】
選択肢として、該端末装置の状態情報は該端末装置の現在の移動状態情報又は該端末装置の留まるセルのチャネル品質情報を含んでもよい。
【００４２】
具体的に、該端末装置は自体の移動状態を定量化してもよく、例えば、識別子情報の１、２、３、４でそれぞれ静止状態、低速移動状態、中速移動状態、高速移動状態を表し、その場合、端末装置は識別子情報４を報告することで、現在は高速移動状態にあるということを表すことができる。
【００４３】
尚、該端末装置の現在の移動状態情報は、該端末装置が測位ナビゲーションシステム及び／又はネットワーク信号に対する測定感知に基づいて取得したものであってもよい。言い換えれば、端末装置は測位ナビゲーションシステム及び／又はネットワーク信号に対する測定に基づいて、現在の移動状態情報を感知してもよい。
【００４４】
具体的に、該端末装置はセルのチャネル品質を定量化してもよく、例えば、識別子情報のａ、ｂ、ｃでそれぞれ、チャネル品質が優であること、チャネル品質が良であること、チャネル品質が劣であることを表し、その場合、端末装置は識別子情報ａを報告することで、留まるセルのチャネル品質が優であることを表すことができる。
【００４５】
尚、該端末装置の留まるセルのチャネル品質情報は参照信号受信品質（ＲＳＲＱ、Ｒｅｆｅｒｅｎｃｅ  Ｓｉｇｎａｌ  Ｒｅｃｅｉｖｉｎｇ  Ｑｕａｌｉｔｙ）、干渉雑音比（ＳＩＮＲ、Ｉｎｔｅｒｆｅｒｅｎｃｅ  ｐｌｕｓ  Ｎｏｉｓｅ  Ｒａｔｉｏ）、参照信号受信電力（ＲＳＲＰ、Ｒｅｆｅｒｅｎｃｅ  Ｓｉｇｎａｌ  Ｒｅｃｅｉｖｉｎｇ  Ｐｏｗｅｒ）のうちの少なくとも１つである。
【００４６】
Ｓ２２０、該第１情報を受信した後、該ネットワーク装置は該端末装置に対してＲＲＭ測定の設定を行う。
【００４７】
選択肢として、該ネットワーク装置は該第１情報に基づいて該端末装置に対してＲＲＭ測定の設定を行う。
【００４８】
例えば、該ネットワーク装置は、該ネットワーク装置自体の状態に基づいて、そして該第１情報を参照して、該端末装置に対してＲＲＭ測定の設定を行ってもよい。
【００４９】
選択肢として、該ＲＲＭ測定の設定は少なくとも測定周期を含み、更に例えば測定の時間周波数リソース等を含んでもよい。
【００５０】
選択肢として、該ＲＲＭ測定の設定は更に幾つかの測定報告の設定を含んでもよく、例えば、該ＲＲＭ測定の設定は更に測定報告周期を含んでもよい。
【００５１】
理解されるように、該測定周期はＮＲシステムにおける同期信号ブロックウィンドウ（ＳＭＴＣ、Ｓｙｎｃｈｒｏｎｉｚａｔｉｏｎ  Ｓｉｇｎａｌ  Ｂｌｏｃｋ  ｂａｓｅｄ  ＲＲＭ  ｍｅａｓｕｒｅｍｅｎｔ  ｔｉｍｉｎｇ  ｃｏｎｆｉｇｕｒａｔｉｏｎ）周期であってもよい。
【００５２】
具体的に、該第１情報に該端末装置の現在の移動状態情報が含まれる場合、該ネットワーク装置は該第１情報及び第１ルールに基づいて該端末装置に対してＲＲＭ測定の設定を行い、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【００５３】
尚、端末装置は異なる移動状態、即ち静止状態、低速移動状態、中速移動状態、高速移動状態等にある可能性がある。異なる移動状態にある端末装置は、サービングセルを含める測定対象セルに対する測定の時間頻度が異なってもよい。例えば、静止状態の端末装置の場合、端末装置のサービングセルを含める測定対象のターゲットセルに対する相対位置関係は変化しないため、一定の時間内において端末装置が受信する前記測定対象のターゲットセルからの信号は殆ど変化せず、又は非常に小さく変化する。従って、たとえネットワーク装置が端末装置に高い測定頻度を設定しても、複数回測定結果の間の差異が小さい。それらの結果がネットワーク装置に報告されても、ネットワーク装置にとって、複数回報告される結果がネットワーク装置にもたらす情報の増加は殆どない。従って、合理的な処理方式は、静止状態の端末装置の場合、測定の頻度及び測定結果報告の頻度をある程度低減して、端末装置の測定の消費電力を低減するということである。逆に、高速移動の端末装置の場合、端末装置の位置は継続的に高速で変化し、受信したサービングセル及び隣接セルの信号の品質も急速に変化しており、この時、信号の急速な変化をタイムリーに追跡するために、端末装置は比較的に高い時間頻度で測定を行い、そして速くて頻度の高い測定結果報告を行う必要がある。
【００５４】
従って、端末装置は自体の移動状態情報をネットワーク装置に報告してもよく、それによって、ネットワーク装置は端末装置の移動状態を参照しながら、ＲＲＭ測定の設定を行う。端末装置の移動速度が低ければ低いほど、設定される測定周期（ＮＲのＳＭＴＣ周期）及び／又は測定報告周期は長くてもよい。逆に、端末装置の移動速度が高ければ高いほど、設定される測定周期（ＮＲのＳＭＴＣ周期）及び／又は測定報告周期は短くてもよい。
【００５５】
具体的に、該第１情報に該端末装置の留まるセルのチャネル品質情報が含まれる場合、該ネットワーク装置は該第１情報及び第２ルールに基づいて該端末装置に対してＲＲＭ測定の設定を行い、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【００５６】
尚、異なるセルの場合、端末装置の測定するチャネル品質は異なる。チャネル品質の比較的に高いセルの場合、信号の品質が良いため、端末装置は少量の信号に基づいても満足のいく測定精度を得ることができる。チャネル品質の比較的に悪いセルの場合、信号の品質が悪いため、端末装置は比較的に多い回数の信号に基づかなければ要求を満たす測定精度を得ることができない。従って、チャネル品質が異なるセルの場合、ネットワーク装置は異なる測定周期で測定を行い、及び／又は、異なる測定報告周期で報告を行うように端末装置に要求してもよい。
【００５７】
選択肢として、該第１情報に該端末装置の留まるセルのチャネル品質情報が含まれる場合、該ネットワーク装置が該第１情報に基づいて該端末装置に対してＲＲＭ測定の設定を行うことは、
該ネットワーク装置がチャネル品質情報に基づいて、異なるチャネル品質情報を有するセルを複数のセルグループに分け、各セルグループにおけるセルは同じチャネル品質情報又は近いチャネル品質情報を有することと、
該ネットワーク装置が各セルグループに１つのＲＲＭ測定設定情報を設定することと、
該ネットワーク装置が該端末装置の留まるセルのチャネル品質情報に基づいて、該端末装置に対応するＲＲＭ測定設定情報を決定することと、を含む。
【００５８】
尚、ネットワーク装置はチャネル品質の良いセルに対して、比較的に長い測定周期と比較的に小さい測定帯域幅を設定し、及び／又は、比較的に長い測定報告周期を設定し、チャネル品質の悪いセルに対しては比較的に短い測定周期と比較的に大きい測定帯域幅を設定し、及び／又は、比較的に短い測定報告周期を設定する。
【００５９】
具体的に、ネットワーク装置はセルのチャネル品質情報（例えば、ＲＳＲＱ、ＳＩＮＲ、ＲＳＲＰ）に基づいて、チャネル品質の異なるセルを複数のグループに分け、各グループは１つのＲＲＭ測定設定情報に対応し、そして端末装置から報告された留まるセルのチャネル品質情報に基づいて、該端末装置に対応するＲＲＭ測定設定情報を決定し、そして端末装置に該端末装置に対応するＲＲＭ測定設定情報を送信してもよい。
【００６０】
従って、本願実施例では、ネットワーク装置は端末装置から報告された状態情報を受信した後、端末装置に対してＲＲＭ測定の設定を行い、これにより、ネットワーク装置はＲＲＭ測定の設定を行う時に、端末装置から報告された状態情報を参照することができ、それによって、端末装置の必要でない測定が回避され、端末装置の消費電力が低減される。
【００６１】
図３は本願実施例による情報測定方法３００の模式的なフローチャートである。
【００６２】
Ｓ３１０、端末装置はネットワーク装置に第１情報を送信し、該第１情報は該端末装置の状態情報を含む。
【００６３】
選択肢として、該端末装置の状態情報は該端末装置の現在の移動状態情報又は該端末装置の留まるセルのチャネル品質情報を含む。
【００６４】
選択肢として、該端末装置は測位ナビゲーションシステム及び／又はネットワーク信号に対する測定感知に基づいて、該端末装置の現在の移動状態情報を決定する。
【００６５】
尚、該端末装置の留まるセルのチャネル品質情報は、ＲＳＲＱ、ＳＩＮＲ、ＲＳＲＰのうちの少なくとも１つである。
【００６６】
Ｓ３２０、該第１情報を送信した後、該端末装置は該ネットワーク装置から送信されたＲＲＭ測定設定情報を受信し、そして該ＲＲＭ測定設定情報に基づいてＲＲＭ測定を行う。
【００６７】
選択肢として、該ＲＲＭ測定設定情報は少なくとも測定周期を含み、更に例えば測定の時間周波数リソース等を含んでもよい。
【００６８】
選択肢として、該ＲＲＭ測定設定情報は更に幾つかの測定報告の設定を含んでもよく、例えば、該ＲＲＭ測定の設定は更に測定報告周期を含んでもよい。
【００６９】
選択肢として、該ＲＲＭ測定設定情報は該第１情報と関連する。
【００７０】
具体的に、該ＲＲＭ測定設定情報はネットワーク装置が該第１情報に基づいて決定したものであってもよい。
【００７１】
例えば、ネットワーク装置は該ネットワーク装置自体の状態に基づいて、そして該第１情報を参照して、該端末装置に対してＲＲＭ測定の設定を行ってもよい。
【００７２】
具体的に、該第１情報に該端末装置の現在の移動状態情報が含まれる場合、該ＲＲＭ測定設定情報は該ネットワーク装置が該第１情報及び第１ルールに基づいて該端末装置に対してＲＲＭ測定の設定を行う設定情報であり、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【００７３】
具体的に、該第１情報に該端末装置の留まるセルのチャネル品質情報が含まれる場合、該ＲＲＭ測定設定情報は該ネットワーク装置が該第１情報及び第２ルールに基づいて該端末装置に対してＲＲＭ測定の設定を行う設定情報であり、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【００７４】
選択肢として、該測定周期はＮＲシステムにおけるＳＭＴＣ周期である。
【００７５】
理解されるように、情報測定方法３００におけるステップについては情報測定方法２００における対応のステップを参照できる。簡潔のために、ここでは繰り返して説明しない。
【００７６】
従って、本願実施例では、端末装置は状態情報を報告した後、ネットワーク装置のＲＲＭ測定設定を受信し、これにより、ネットワーク装置はＲＲＭ測定の設定を行う時に、端末装置から報告された状態情報を参照することができ、それによって、端末装置の必要でない測定が回避され、端末装置の消費電力が低減される。
【００７７】
図４は本願実施例による情報測定方法４００の模式的なフローチャートである。
【００７８】
Ｓ４１０、ネットワーク装置は端末装置に第１情報を送信し、該第１情報は第１対応関係又は第２対応関係を含み、該第１情報は該第１対応関係又は該第２対応関係に基づいてＲＲＭ測定設定情報を決定するように該端末装置に指示することに用いられ、該第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示する。
【００７９】
尚、端末装置は該第１情報を受信した後、該第１対応関係に基づいて、そして現在の移動状態情報を参照しながら、ＲＲＭ測定設定情報（ＲＲＭ測定周期、ＲＲＭ測定帯域幅、ＲＲＭ測定報告周期のうちの少なくとも１つ）を決定してもよく、又は、該第２対応関係に基づいて、そして留まるセルのチャネル品質情報を参照しながら、ＲＲＭ測定設定情報（ＲＲＭ測定周期、ＲＲＭ測定帯域幅、ＲＲＭ測定報告周期のうちの少なくとも１つ）を決定してもよい。
【００８０】
選択肢として、該ＲＲＭ測定設定情報は少なくとも測定周期を含み、更に例えば測定の時間周波数リソース等を含んでもよい。
【００８１】
選択肢として、該ＲＲＭ測定設定情報は更に幾つかの測定報告の設定を含んでもよく、例えば、該ＲＲＭ測定の設定は更に測定報告周期を含んでもよい。
【００８２】
該端末装置の留まるセルのチャネル品質情報は、ＲＳＲＱ、ＳＩＮＲ、ＲＳＲＰのうちの少なくとも１つである。
【００８３】
具体的に、該第１情報に該第１対応関係が含まれる場合、該ネットワーク装置は第１ルールに基づいて該第１対応関係を決定し、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【００８４】
具体的に、該第１情報に該第２対応関係が含まれる場合、該ネットワーク装置は第２ルールに基づいて該第２対応関係を決定し、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【００８５】
選択肢として、該測定周期はＳＭＴＣ周期である。具体的に、該測定周期はＮＲシステムにおけるＳＭＴＣ周期であってもよい。
【００８６】
選択肢として、該ネットワーク装置はシステムブロードキャストを介して該端末装置に該第１情報を送信してもよい。
【００８７】
具体的に、該第１情報は残りのシステム情報（ＲＭＳＩ、Ｒｅｍａｉｎｉｎｇ  Ｓｙｓｔｅｍ  Ｉｎｆｏｒｍａｔｉｏｎ）又は他のシステム情報（ＯＳＩ、Ｏｔｈｅｒ  Ｓｙｓｔｅｍ  Ｉｎｆｏｒｍａｔｉｏｎ）である。
【００８８】
選択肢として、該端末装置は無線リソース制御（ＲＲＣ、Ｒａｄｉｏ  Ｒｅｓｏｕｒｃｅ  Ｃｏｎｔｒｏｌ）アイドル状態又はＲＲＣ接続状態にある。
【００８９】
理解されるように、情報測定方法４００におけるステップについては情報測定方法２００における対応のステップを参照できる。簡潔のために、ここでは繰り返して説明しない。
【００９０】
従って、本願実施例では、ネットワーク装置は第１対応関係又は第２対応関係を含む第１情報をブロードキャストし、端末装置は現在の移動状態情報及び第１対応関係に基づいてＲＲＭ測定設定情報を決定してもよく、又は、留まるセルのチャネル品質情報及び第２対応関係に基づいてＲＲＭ測定設定情報を決定してもよく、それによって、端末装置の必要でない測定が回避され、端末装置の消費電力が低減される。
【００９１】
図５は本願実施例による情報測定方法５００の模式的なフローチャートである。
【００９２】
Ｓ５１０、端末装置はネットワーク装置から送信された第１情報を受信し、該第１情報は第１対応関係又は第２対応関係を含み、該第１情報は該第１対応関係又は該第２対応関係に基づいてＲＲＭ測定設定情報を決定するように該端末装置に指示することに用いられ、該第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示する。
【００９３】
選択肢として、該ＲＲＭ測定設定情報は少なくとも測定周期を含み、更に例えば測定の時間周波数リソース等を含んでもよい。
【００９４】
選択肢として、該ＲＲＭ測定設定情報は更に幾つかの測定報告の設定を含んでもよく、例えば、該ＲＲＭ測定の設定は更に測定報告周期を含んでもよい。
【００９５】
具体的に、該端末装置は該ネットワーク装置がシステムブロードキャストを介して送信した該第１情報を受信する。
【００９６】
選択肢として、該第１情報はＲＭＳＩ又はＯＳＩである。
【００９７】
該端末装置の留まるセルのチャネル品質情報は、ＲＳＲＱ、ＳＩＮＲ、ＲＳＲＰのうちの少なくとも１つである。
【００９８】
選択肢として、該端末装置はＲＲＣアイドル状態又はＲＲＣ接続状態にある。
【００９９】
Ｓ５２０、該端末装置は該第１情報に基づいてＲＲＭ測定設定情報を決定する。
【０１００】
具体的に、該第１情報に該第１対応関係が含まれる場合、該端末装置は現在の移動状態情報及び該第１対応関係に基づいて該ＲＲＭ測定設定情報を決定する。
【０１０１】
具体的に、該第１情報に該第２対応関係が含まれる場合、該端末装置は留まるセルのチャネル品質情報及び該第２対応関係に基づいて該ＲＲＭ測定設定情報を決定する。
【０１０２】
尚、該第１対応関係は該ネットワーク装置が第１ルールに基づいて決定したものであり、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１０３】
尚、該第２対応関係は該ネットワーク装置が第２ルールに基づいて決定したものであり、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１０４】
選択肢として、該測定周期はＳＭＴＣ周期である。
【０１０５】
理解されるように、情報測定方法５００におけるステップについては情報測定方法２００における対応のステップを参照できる。簡潔のために、ここでは繰り返して説明しない。
【０１０６】
従って、本願実施例では、端末装置はネットワーク装置によってブロードキャストされた、第１対応関係又は第２対応関係を含む第１情報を受信し、端末装置は現在の移動状態情報及び第１対応関係に基づいてＲＲＭ測定設定情報を決定してもよく、又は、留まるセルのチャネル品質情報及び第２対応関係に基づいてＲＲＭ測定設定情報を決定してもよく、それによって、端末装置の必要でない測定が回避され、端末装置の消費電力が低減される。
【０１０７】
図６は本願実施例によるネットワーク装置６００の模式的なブロック図である。図６に示すように、該ネットワーク装置６００は、
端末装置から送信された第１情報を受信することに用いられ、該第１情報が該端末装置の状態情報を含む通信ユニット６１０と、
該通信ユニットが第１情報を受信した後、該端末装置に対してＲＲＭ測定の設定を行うことに用いられる処理ユニット６２０と、を備える。
【０１０８】
選択肢として、該処理ユニット６２０は具体的に、該第１情報に基づいて該端末装置に対してＲＲＭ測定の設定を行うことに用いられる。
【０１０９】
選択肢として、該端末装置の状態情報は、該端末装置の現在の移動状態情報又は該端末装置の留まるセルのチャネル品質情報を含む。
【０１１０】
選択肢として、前記ＲＲＭ測定設定情報は、測定周期、測定の時間周波数リソース、及び測定報告周期のうちの少なくとも１つを含む。
【０１１１】
選択肢として、該処理ユニット６２０は具体的に、該第１情報に該端末装置の現在の移動状態情報が含まれる場合、該第１情報及び第１ルールに基づいて該端末装置に対してＲＲＭ測定の設定を行うことに用いられ、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１１２】
選択肢として、該処理ユニット６２０は具体的に、該第１情報に該端末装置の留まるセルのチャネル品質情報が含まれる場合、該第１情報及び第２ルールに基づいて該端末装置に対してＲＲＭ測定の設定を行うことに用いられ、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１１３】
選択肢として、該測定周期はＳＭＴＣ周期である。
【０１１４】
選択肢として、該第１情報に該端末装置の留まるセルのチャネル品質情報が含まれる場合、該処理ユニット６２０は具体的に、
チャネル品質情報に基づいて、異なるチャネル品質情報を有するセルを複数のセルグループに分け、各セルグループにおけるセルは同じチャネル品質情報又は近いチャネル品質情報を有することと、
各セルグループに１つのＲＲＭ測定設定情報を設定することと、
該端末装置の留まるセルのチャネル品質情報に基づいて、該端末装置に対応するＲＲＭ測定設定情報を決定することと、に用いられる。
【０１１５】
選択肢として、該端末装置の現在の移動状態情報は、該端末装置が測位ナビゲーションシステム及び／又はネットワーク信号に対する測定感知に基づいて取得したものである。
【０１１６】
選択肢として、該端末装置の留まるセルのチャネル品質情報は、ＲＳＲＱ、ＳＩＮＲ、ＲＳＲＰのうちの少なくとも１つである。
【０１１７】
理解されるように、本願実施例のネットワーク装置６００における各モジュールの上記及び他の動作及び／又は機能はそれぞれ図２における方法２００におけるネットワーク装置の相応のフローを実現するためのものである。簡潔のために、ここでは繰り返して説明しない。
【０１１８】
図７は本願実施例による端末装置７００の模式的なブロック図である。図７に示すように、該端末装置７００は、
該端末装置の状態情報を含む第１情報をネットワーク装置に送信することに用いられ、該第１情報を送信した後、更に該ネットワーク装置から送信されたＲＲＭ測定設定情報を受信することに用いられる通信ユニット７１０と、
該ＲＲＭ測定設定情報に基づいてＲＲＭ測定を行うことに用いられる処理ユニット７２０と、を備える。
【０１１９】
選択肢として、該ＲＲＭ測定設定情報は該第１情報と関連する。
【０１２０】
選択肢として、前記ＲＲＭ測定設定情報は、測定周期、測定の時間周波数リソース、及び測定報告周期のうちの少なくとも１つを含む。
【０１２１】
選択肢として、該端末装置の状態情報は該端末装置の現在の移動状態情報又は該端末装置の留まるセルのチャネル品質情報を含む。
【０１２２】
選択肢として、該第１情報に該端末装置の現在の移動状態情報が含まれる場合、該ＲＲＭ測定設定情報は該ネットワーク装置が該第１情報及び第１ルールに基づいて該端末装置に対してＲＲＭ測定の設定を行う設定情報であり、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１２３】
選択肢として、該通信ユニット７１０が該ネットワーク装置に該第１情報を送信する前に、該処理ユニット７２０は更に、測位ナビゲーションシステム及び／又はネットワーク信号に対する測定感知に基づいて、該端末装置の現在の移動状態情報を決定することに用いられる。
【０１２４】
選択肢として、該第１情報に該端末装置の留まるセルのチャネル品質情報が含まれる場合、該ＲＲＭ測定設定情報は該ネットワーク装置が該第１情報及び第２ルールに基づいて該端末装置に対してＲＲＭ測定の設定を行う設定情報であり、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１２５】
選択肢として、該測定周期はＳＭＴＣ周期である。
【０１２６】
選択肢として、該端末装置の留まるセルのチャネル品質情報は、ＲＳＲＱ、ＳＩＮＲ、ＲＳＲＰのうちの少なくとも１つである。
【０１２７】
理解されるように、本願実施例による端末装置７００における各モジュールの上記及び他の動作及び／又は機能はそれぞれ図３における方法３００における端末装置の相応のフローを実現するためのものである。簡潔のために、ここでは繰り返して説明しない。
【０１２８】
図８は本願実施例によるネットワーク装置８００の模式的なブロック図である。図８に示すように、該ネットワーク装置８００は、
端末装置に第１情報を送信することに用いられ、該第１情報が第１対応関係又は第２対応関係を含み、該第１情報は該第１対応関係又は該第２対応関係に基づいてＲＲＭ測定設定情報を決定するように該端末装置に指示することに用いられる通信ユニット８１０を備え、
該第１対応関係は端末装置の移動状態情報とＲＲＭ測定設定情報との対応関係を指示し、第２対応関係は端末装置の留まるセルのチャネル品質情報とＲＲＭ測定設定情報との対応関係を指示する。
【０１２９】
選択肢として、前記ＲＲＭ測定設定情報は、測定周期、測定の時間周波数リソース、及び測定報告周期のうちの少なくとも１つを含む。
【０１３０】
選択肢として、該通信ユニット８１０が該端末装置に該第１情報を送信する前に、該ネットワーク装置８００は更に、
該第１情報に該第１対応関係が含まれる場合、第１ルールに基づいて該第１対応関係を決定することに用いられる処理ユニット８２０を備え、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１３１】
選択肢として、該通信ユニット８１０が該端末装置に該第１情報を送信する前に、該ネットワーク装置８００は更に、
該第１情報に該第２対応関係が含まれる場合、第２ルールに基づいて該第２対応関係を決定することに用いられる処理ユニット８２０を備え、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１３２】
選択肢として、該測定周期はＳＭＴＣ周期である。
【０１３３】
選択肢として、該通信ユニット８１０は具体的に、システムブロードキャストを介して該端末装置に該第１情報を送信することに用いられる。
【０１３４】
選択肢として、該第１情報はＲＭＳＩ又はＯＳＩである。
【０１３５】
選択肢として、該端末装置はＲＲＣアイドル状態又はＲＲＣ接続状態にある。
【０１３６】
理解されるように、本願実施例のネットワーク装置８００における各モジュールの上記及び他の動作及び／又は機能はそれぞれ図４における方法４００におけるネットワーク装置の相応のフローを実現するためのものである。簡潔のために、ここでは繰り返して説明しない。
【０１３７】
図９は本願実施例による端末装置９００の模式的なブロック図である。図９に示すように、該端末装置９００は、
ネットワーク装置から送信された第１情報を受信することに用いられ、該第１情報が第１対応関係又は第２対応関係を含み、該第１情報は該第１対応関係又は該第２対応関係に基づいてＲＲＭ測定設定情報を決定するように該端末装置に指示することに用いられ、該第１対応関係が端末装置の移動状態情報とＲＲＭ測定設定情報との対応関係を指示し、第２対応関係が端末装置の留まるセルのチャネル品質情報とＲＲＭ測定設定情報との対応関係を指示する通信ユニット９１０と、
該第１情報に基づいてＲＲＭ測定設定情報を決定することに用いられる処理ユニット９２０と、を備える。
【０１３８】
選択肢として、該処理ユニット９２０は具体的に、該第１情報に該第１対応関係が含まれる場合、現在の移動状態情報及び該第１対応関係に基づいて該ＲＲＭ測定設定情報を決定することに用いられる。
【０１３９】
選択肢として、該処理ユニット９２０は具体的に、該第１情報に該第２対応関係が含まれる場合、留まるセルのチャネル品質情報及び該第２対応関係に基づいて該ＲＲＭ測定設定情報を決定することに用いられる。
【０１４０】
選択肢として、前記ＲＲＭ測定設定情報は、測定周期、測定の時間周波数リソース、及び測定報告周期のうちの少なくとも１つを含む。
【０１４１】
選択肢として、該第１対応関係は該ネットワーク装置が第１ルールに基づいて決定したものであり、
該第１ルールについては具体的に、該ネットワーク装置は第１移動速度を有する端末装置に第１ＲＲＭ測定設定情報を設定し、第２移動速度を有する端末装置に第２ＲＲＭ測定設定情報を設定し、そして該第１移動速度は該第２移動速度より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１４２】
選択肢として、該第２対応関係は該ネットワーク装置が第２ルールに基づいて決定したものであり、
該第２ルールについては具体的に、該ネットワーク装置は第１タイプのセルに留まる端末装置に第１ＲＲＭ測定設定情報を設定し、第２タイプのセルに留まる端末装置に第２ＲＲＭ測定設定情報を設定し、そして該第１タイプのセルのチャネル品質は該第２タイプのセルのチャネル品質より低く、該第１ＲＲＭ測定設定情報において少なくとも測定周期は該第２ＲＲＭ測定設定情報における測定周期より長く、及び／又は、該第１ＲＲＭ測定設定情報における測定報告周期は該第２ＲＲＭ測定設定情報における測定報告周期より長い、ということである。
【０１４３】
選択肢として、該測定周期はＳＭＴＣ周期である。
【０１４４】
選択肢として、該通信ユニット９１０は具体的に、該ネットワーク装置がシステムブロードキャストを介して送信した該第１情報を受信することに用いられる。
【０１４５】
選択肢として、該第１情報はＲＭＳＩ又はＯＳＩである。
【０１４６】
選択肢として、該端末装置はＲＲＣアイドル状態又はＲＲＣ接続状態にある。
【０１４７】
理解されるように、本願実施例の端末装置９００における各モジュールの上記及び他の動作及び／又は機能はそれぞれ図５における方法５００における端末装置の相応のフローを実現するためのものである。簡潔のために、ここでは繰り返して説明しない。
【０１４８】
図１０は本願実施例による通信装置１０００の構造模式図である。図１０に示す通信装置１０００はプロセッサ１０１０を備え、プロセッサ１０１０はコンピュータプログラムをメモリから呼び出して実行して、本願実施例における方法を実現することができる。
【０１４９】
選択肢として、図１０に示すように、通信装置１０００は更にメモリ１０２０を備えてもよい。プロセッサ１０１０はコンピュータプログラムをメモリ１０２０から呼び出して実行して、本願実施例における方法を実現することができる。
【０１５０】
メモリ１０２０はプロセッサ１０１０から独立した１つの単独のデバイスであってもよく、プロセッサ１０１０に集積されてもよい。
【０１５１】
選択肢として、図１０に示すように、通信装置１０００は更に送受信機１０３０を備えてもよく、プロセッサ１０１０は他の装置と通信するように該送受信機１０３０を制御することができ、具体的に、他の装置に情報又はデータを送信し、又は他の装置から送信された情報又はデータを受信することができる。
【０１５２】
送受信機１０３０は送信機と受信機を備えてもよい。送受信機１０３０は更にアンテナを備えてもよく、アンテナの数は１つ又は複数であってもよい。
【０１５３】
選択肢として、該通信装置１０００は具体的に本願実施例のネットワーク装置であってもよく、そして該通信装置１０００は本願実施例の各方法におけるネットワーク装置によって実現される相応のプロセスを実現できる。簡潔のために、ここでは繰り返して説明しない。
【０１５４】
選択肢として、該通信装置１０００は具体的に本願実施例のモバイル端末／端末装置であってもよく、そして該通信装置１０００は本願実施例の各方法におけるモバイル端末／端末装置によって実現される相応のプロセスを実現できる。簡潔のために、ここでは繰り返して説明しない。
【０１５５】
図１１は本願実施例のチップの構造模式図である。図１１に示すチップ１１００はプロセッサ１１１０を備え、プロセッサ１１１０はコンピュータプログラムをメモリから呼び出して実行して、本願実施例における方法を実現することができる。
【０１５６】
選択肢として、図１１に示すように、チップ１１００は更にメモリ１１２０を備えてもよい。プロセッサ１１１０はコンピュータプログラムをメモリ１１２０から呼び出して実行して、本願実施例における方法を実現することができる。
【０１５７】
メモリ１１２０はプロセッサ１１１０から独立した１つの単独のデバイスであってもよく、プロセッサ１１１０に集積されてもよい。
【０１５８】
選択肢として、該チップ１１００は更に入力インタフェース１１３０を備えてもよい。プロセッサ１１１０は他の装置又はチップと通信するように該入力インタフェース１１３０を制御することができ、具体的に、他の装置又はチップから送信された情報又はデータを取得することができる。
【０１５９】
選択肢として、該チップ１１００は更に出力インタフェース１１４０を備えてもよい。プロセッサ１１１０は他の装置又はチップと通信するように該出力インタフェース１１４０を制御することができ、具体的に、他の装置又はチップに情報又はデータを出力することができる。
【０１６０】
選択肢として、該チップは本願実施例におけるネットワーク装置に適用されてもよく、そして該チップは本願実施例の各方法におけるネットワーク装置によって実現される相応のプロセスを実現できる。簡潔のために、ここでは繰り返して説明しない。
【０１６１】
選択肢として、該チップは本願実施例におけるモバイル端末／端末装置に適用されてもよく、そして該チップは本願実施例の各方法におけるモバイル端末／端末装置によって実現される相応のプロセスを実現できる。簡潔のために、ここでは繰り返して説明しない。
【０１６２】
理解されるように、本願実施例で言及されるチップはまたシステムレベルチップ、システムチップ、チップシステム、又はシステムオンチップ等と称されてもよい。
【０１６３】
図１２は本願実施例による通信システム１２００の模式的なブロック図である。図１２に示すように、該通信システム１２００は端末装置１２１０とネットワーク装置１２２０を備える。
【０１６４】
該端末装置１２１０は上記の方法における端末装置によって実現される相応の機能を実現することに用いられることができ、そして該ネットワーク装置１２２０は上記の方法におけるネットワーク装置によって実現される相応の機能を実現することに用いられることができる。簡潔のために、ここでは繰り返して説明しない。
【０１６５】
理解されるように、本願実施例のプロセッサは信号処理能力を有する集積回路チップであり得る。実現過程において、上記方法実施例の各ステップはプロセッサにおけるハードウェアの集積論理回路又はソフトウェア形式の命令で遂行できる。上記プロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、個別ゲート又はトランジスタ論理デバイス、個別ハードウェアコンポーネントであってもよい。本願実施例に開示される各方法、ステップ及び論理ブロック図を実現又は実行することができる。汎用プロセッサはマイクロプロセッサであってもよく、又は該プロセッサは如何なる通常のプロセッサ等であってもよい。本願実施例に開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを遂行する。
【０１６６】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。例示的であって制限的ではない説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。尚、本明細書に説明されるシステム及び方法のメモリはこれらのメモリ及び任意の他の適切なタイプのメモリを含むが、これらに限らないように意図されている。
【０１６７】
理解されるように、上記メモリの記載は例示的であって制限的なものではなく、例えば、本願実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。即ち、本願実施例におけるメモリはこれらのメモリ及び任意の他の適切なタイプのメモリを含むが、これらに限らないように意図されている。
【０１６８】
本願実施例は更にコンピュータ可読記憶媒体を提供し、コンピュータプログラムを記憶することに用いられる。
【０１６９】
選択肢として、該コンピュータ可読記憶媒体は本願実施例におけるネットワーク装置に適用されてもよく、そして該コンピュータプログラムはコンピュータに本願実施例の各方法におけるネットワーク装置によって実現される相応のプロセスを実行させる。簡潔のために、ここでは繰り返して説明しない。
【０１７０】
選択肢として、該コンピュータ可読記憶媒体は本願実施例におけるモバイル端末／端末装置に適用されてもよく、そして該コンピュータプログラムはコンピュータに本願実施例の各方法におけるモバイル端末／端末装置によって実現される相応のプロセスを実行させる。簡潔のために、ここでは繰り返して説明しない。
【０１７１】
本願実施例は更にコンピュータプログラム製品を提供し、コンピュータプログラム命令を含む。
【０１７２】
選択肢として、該コンピュータプログラム製品は本願実施例におけるネットワーク装置に適用されてもよく、そして該コンピュータプログラム命令はコンピュータに本願実施例の各方法におけるネットワーク装置によって実現される相応のプロセスを実行させる。簡潔のために、ここでは繰り返して説明しない。
【０１７３】
選択肢として、該コンピュータプログラム製品は本願実施例におけるモバイル端末／端末装置に適用されてもよく、そして該コンピュータプログラム命令はコンピュータに本願実施例の各方法におけるモバイル端末／端末装置によって実現される相応のプロセスを実行させる。簡潔のために、ここでは繰り返して説明しない。
【０１７４】
本願実施例は更にコンピュータプログラムを提供する。
【０１７５】
選択肢として、該コンピュータプログラムは本願実施例におけるネットワーク装置に適用されてもよく、該コンピュータプログラムがコンピュータにおいて実行される時、コンピュータは本願実施例の各方法におけるネットワーク装置によって実現される相応のプロセスを実行する。簡潔のために、ここでは繰り返して説明しない。
【０１７６】
選択肢として、該コンピュータプログラムは本願実施例におけるモバイル端末／端末装置に適用されてもよく、該コンピュータプログラムがコンピュータにおいて実行される時、コンピュータは本願実施例の各方法におけるモバイル端末／端末装置によって実現される相応のプロセスを実行する。簡潔のために、ここでは繰り返して説明しない。
【０１７７】
当業者が意識できるように、本明細書に開示される実施例を参照して説明した各例示的なユニット及びアルゴリズムステップは、電子ハードウェア、又はコンピュータソフトウェアと電子ハードウェアの組み合わせで実現できる。これらの機能をハードウェアそれともソフトウェア方式で実行するかは、技術案の特定応用及び設計制約条件によって決定される。当業者は各特定応用に応じて異なる方法でここの説明される機能を実現することができるが、このような実現は本願の範囲を超えるものと見なされるべきではない。
【０１７８】
当業者が明確に理解できるように、説明を容易で簡単にするために、上記説明されたシステム、装置及びユニットの具体的な動作過程については、前述の方法実施例における対応する過程を参照でき、ここでは繰り返して説明しない。
【０１７９】
本願に係る幾つかの実施例において、理解されるように、開示されるシステム、装置及び方法は他の方式で実現されてもよい。例えば、上記の装置実施例は単に模式的なものであり、例えば、説明したユニットの区分は論理的な機能区分に過ぎず、実際の実施では他の区分方式があってもよく、例えば、複数のユニット又はコンポーネントが組み合わせられてもよく、又は他のシステムに統合されてもよく、又は幾つかの特徴が省略されても、又は実行されなくてもよい。一方、表示又は検討される相互間の結合又は直接結合又は通信接続は、幾つかのインタフェース、装置又はユニットを介した間接結合又は通信接続であってもよく、電気的、機械的、又は他の形態であってもよい。
【０１８０】
分離部材として説明された前記ユニットは物理的に分離したものであってもでなくてもよく、ユニットとして表示される部材は物理ユニットであってもでなくてもよく、即ち、一箇所に位置してもよく、又は複数のネットワークユニットに分散されてもよい。実際の需要に応じてその一部又は全部のユニットを選択して、本実施例案の目的を実現してもよい。
【０１８１】
また、本願の各実施例において、各機能ユニットは１つの処理ユニットに統合されてもよく、各ユニットは独立して物理的に存在してもよく、２つ以上のユニットが１つのユニットに統合されてもよい。
【０１８２】
前記機能はソフトウェア機能ユニットの形で実現され、そして独立した製品として販売又は使用される場合、コンピュータ読み取り可能な記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例に記載の方法の全部又は一部のステップを実行させるための若干の命令を含む。前述の記憶媒体はＵＳＢディスク、リムーバブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる各種の媒体を含む。
【０１８３】
以上の説明は単に本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は特許請求の範囲に記載の保護範囲に準じるべきである。
【図１】
2021527978.tif 000003
【図２】
2021527978.tif 000004
【図３】
2021527978.tif 000005
【図４】
2021527978.tif 000006
【図５】
2021527978.tif 000007
【図６】
2021527978.tif 000008
【図７】
2021527978.tif 000009
【図８】
2021527978.tif 000010
【図９】
2021527978.tif 000011
【図１０】
2021527978.tif 000012
【図１１】
2021527978.tif 000013
【図１２】
2021527978.tif 000014
【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
情報測定方法であって、
端末装置がネットワーク装置に第１情報を送信し、前記第１情報は前記端末装置の状態情報を含むことと、
前記第１情報を送信した後、前記端末装置が前記ネットワーク装置から送信された無線リソース管理（ＲＲＭ）測定設定情報を受信し、そして前記ＲＲＭ測定設定情報に基づいてＲＲＭ測定を行うことと、を含むことを特徴とする情報測定方法。
【請求項２】
前記ＲＲＭ測定設定情報は前記第１情報と関連することを特徴とする請求項１に記載の方法。
【請求項３】
前記ＲＲＭ測定設定情報は、測定周期、測定の時間周波数リソース、及び測定報告周期のうちの少なくとも１つを含むことを特徴とする請求項１又は２に記載の方法。
【請求項４】
前記端末装置の状態情報は、前記端末装置の現在の移動状態情報又は前記端末装置の留まるセルのチャネル品質情報を含むことを特徴とする請求項１〜３のいずれか１項に記載の方法。
【請求項５】
前記第１情報に前記端末装置の現在の移動状態情報が含まれる場合、前記ＲＲＭ測定設定情報は前記ネットワーク装置が前記第１情報及び第１ルールに基づいて前記端末装置に対してＲＲＭ測定の設定を行う設定情報であり、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項４に記載の方法。
【請求項６】
前記端末装置が前記ネットワーク装置に前記第１情報を送信する前に、前記方法は更に、
前記端末装置が測位ナビゲーションシステム及び／又はネットワーク信号に対する測定感知に基づいて、前記端末装置の現在の移動状態情報を決定することを含むことを特徴とする請求項５に記載の方法。
【請求項７】
前記第１情報に前記端末装置の留まるセルのチャネル品質情報が含まれる場合、前記ＲＲＭ測定設定情報は前記ネットワーク装置が前記第１情報及び第２ルールに基づいて前記端末装置に対してＲＲＭ測定の設定を行う設定情報であり、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項４に記載の方法。
【請求項８】
前記測定周期は同期信号ブロックウィンドウ（ＳＭＴＣ）周期であることを特徴とする請求項５〜７のいずれか１項に記載の方法。
【請求項９】
前記端末装置の留まるセルのチャネル品質情報は参照信号受信品質（ＲＳＲＱ）、干渉雑音比（ＳＩＮＲ）、参照信号受信電力（ＲＳＲＰ）のうちの少なくとも１つであることを特徴とする請求項４〜８のいずれか１項に記載の方法。
【請求項１０】
ネットワーク装置であって、
端末装置から送信された第１情報を受信することに用いられ、前記第１情報は前記端末装置の状態情報を含む通信ユニットと、
前記通信ユニットが前記第１情報を受信した後、前記端末装置に対して無線リソース管理（ＲＲＭ）測定の設定を行うことに用いられる処理ユニットと、を備えることを特徴とするネットワーク装置。
【請求項１１】
前記処理ユニットは具体的に、前記第１情報に基づいて前記端末装置に対してＲＲＭ測定の設定を行うことに用いられることを特徴とする請求項１０に記載のネットワーク装置。
【請求項１２】
前記ＲＲＭ測定の設定は、測定周期、測定の時間周波数リソース、及び測定報告周期のうちの少なくとも１つを含むことを特徴とする請求項１０又は１１に記載のネットワーク装置。
【請求項１３】
前記端末装置の状態情報は、前記端末装置の現在の移動状態情報又は前記端末装置の留まるセルのチャネル品質情報を含むことを特徴とする請求項１０〜１２のいずれか１項に記載のネットワーク装置。
【請求項１４】
前記処理ユニットは具体的に、前記第１情報に前記端末装置の現在の移動状態情報が含まれる場合、前記第１情報及び第１ルールに基づいて前記端末装置に対してＲＲＭ測定の設定を行うことに用いられ、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項１３に記載のネットワーク装置。
【請求項１５】
前記処理ユニットは具体的に、前記第１情報に前記端末装置の留まるセルのチャネル品質情報が含まれる場合、前記第１情報及び第２ルールに基づいて前記端末装置に対してＲＲＭ測定の設定を行うことに用いられ、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項１３に記載のネットワーク装置。
【請求項１６】
前記測定周期は同期信号ブロックウィンドウ（ＳＭＴＣ）周期であることを特徴とする請求項１４又は１５に記載のネットワーク装置。
【請求項１７】
端末装置であって、
前記端末装置の状態情報を含む第１情報をネットワーク装置に送信することに用いられ、前記第１情報を送信した後、更に前記ネットワーク装置から送信された無線リソース管理（ＲＲＭ）測定設定情報を受信することに用いられる通信ユニットと、
前記ＲＲＭ測定設定情報に基づいてＲＲＭ測定を行うことに用いられる処理ユニットと、を備えることを特徴とする端末装置。
【請求項１８】
前記ＲＲＭ測定設定情報は前記第１情報と関連することを特徴とする請求項１７に記載の端末装置。
【請求項１９】
前記ＲＲＭ測定設定情報は、測定周期、測定の時間周波数リソース、及び測定報告周期のうちの少なくとも１つを含むことを特徴とする請求項１７又は１８に記載の端末装置。
【請求項２０】
前記端末装置の状態情報は、前記端末装置の現在の移動状態情報又は前記端末装置の留まるセルのチャネル品質情報を含むことを特徴とする請求項１７〜１９のいずれか１項に記載の端末装置。
【請求項２１】
前記第１情報に前記端末装置の現在の移動状態情報が含まれる場合、前記ＲＲＭ測定設定情報は前記ネットワーク装置が前記第１情報及び第１ルールに基づいて前記端末装置に対してＲＲＭ測定の設定を行う設定情報であり、
前記第１ルールについては具体的に、前記ネットワーク装置は第１移動速度を有する端末装置に第１ＲＲＭ測定設定情報を設定し、第２移動速度を有する端末装置に第２ＲＲＭ測定設定情報を設定し、そして前記第１移動速度は前記第２移動速度より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項２０に記載の端末装置。
【請求項２２】
前記通信ユニットが前記ネットワーク装置に前記第１情報を送信する前に、前記処理ユニットは更に、測位ナビゲーションシステム及び／又はネットワーク信号に対する測定感知に基づいて、前記端末装置の現在の移動状態情報を決定することに用いられることを特徴とする請求項２１に記載の端末装置。
【請求項２３】
前記第１情報に前記端末装置の留まるセルのチャネル品質情報が含まれる場合、前記ＲＲＭ測定設定情報は前記ネットワーク装置が前記第１情報及び第２ルールに基づいて前記端末装置に対してＲＲＭ測定の設定を行う設定情報であり、
前記第２ルールについては具体的に、前記ネットワーク装置は第１タイプのセルに留まる端末装置に第１ＲＲＭ測定設定情報を設定し、第２タイプのセルに留まる端末装置に第２ＲＲＭ測定設定情報を設定し、そして前記第１タイプのセルのチャネル品質は前記第２タイプのセルのチャネル品質より低く、前記第１ＲＲＭ測定設定情報において少なくとも測定周期は前記第２ＲＲＭ測定設定情報における測定周期より長く、及び／又は、前記第１ＲＲＭ測定設定情報における測定報告周期は前記第２ＲＲＭ測定設定情報における測定報告周期より長い、ということであることを特徴とする請求項２０に記載の端末装置。
【請求項２４】
前記測定周期は同期信号ブロックウィンドウ（ＳＭＴＣ）周期であることを特徴とする請求項２１〜２３のいずれか１項に記載の端末装置。
【請求項２５】
前記端末装置の留まるセルのチャネル品質情報は参照信号受信品質（ＲＳＲＱ）、干渉雑音比（ＳＩＮＲ）、参照信号受信電力（ＲＳＲＰ）のうちの少なくとも１つであることを特徴とする請求項２０〜２４のいずれか１項に記載の端末装置。
【国際調査報告】
2021527978.tif 000015
2021527978.tif 000016
2021527978.tif 000017
2021527978.tif 000018